(57)【要約】本発明は回転可能なバッフルを有するドラム洗濯機を提供する。本発明は、キャビネット内側に設けられるタブと、モーター部の回転力を受けて回転できるように、前記タブの内側に設けられるドラムとを備えたドラム洗濯機において、前記ドラムの内側に設けられ、前記ドラムの回転方向と逆方向に回転可能に設けられるバッフルを備えたものであって、洗濯時、バッフルにより洗濯物に加えられる摩擦力を増加させて洗濯効率を高めることができ、脱水が完了した洗濯物をドラムの内側面から離した後、乾燥を行うことにより、洗濯物のしわ発生及び乾燥性能の低下を防止できるようにしたことを特徴とする。【選択図】図３
2004513722.tif 000002
【特許請求の範囲】
【請求項１】
キャビネット内側に設けられるタブと、モーター部の回転力を受けて回転できるように、前記タブの内側に設けられるドラムとを備えたドラム洗濯機において、
前記ドラムの内側に設けられ、前記ドラムの回転方向と逆方向に回転可能に設けられるバッフルを備えたことを特徴とする回転可能なバッフルを有するドラム洗濯機。
【請求項２】
前記バッフルは脱水が完了した洗濯物をキャビネット内部の方側に設けられた乾燥手段により乾燥させる乾燥機能が行われる場合、前記ドラム内面に付いている洗濯物を取り離せるように前記ドラムの回転方向と逆方向に回転可能に設置されることを特徴とする請求項１に記載の回転可能なバッフルを有するドラム洗濯機。
【請求項３】
モーター部の回転力を受けてバッフルを回転させる回転力伝達装置をさらに含むことを特徴とする請求項１又は２に記載の回転可能なバッフルを有するドラム洗濯機。
【請求項４】
前記回転力伝達装置において、
ドラム軸及び駆動軸が内側に貫通又は挿入され得るように前端部と後端部が開口された形状であって、前記ギアボックスハウジングの内側に固定されるギアボックスと、
前記駆動軸の回転に連動して回転するように、同軸形成されたサンギアと、
前記サンギアの回転力を受けて回転する多数の遊星ギアと、
前記ドラム軸の後端部から延長され、その内周面上には前記遊星ギアと噛み合うようにギア部が形成された軸延長部と、
ベースの前方には前記遊星ギアの回転中心をなす回転軸が形成され、後方には前記駆動軸とギアボックスの後端開口部との間に位置される延長部を有するキャリアと、
前記駆動軸の外周面とドラム軸の内周面上に介在して前記ドラム軸と駆動軸の連動回転を一方向のみに許容する第１回転軸断続手段と、
前記ギアボックスの後端開口部の内周面と前記キャリア延長部の外周面上に介在してギアボックスとキャリアの連動回転を一方向のみに許容する第２回転軸断続手段とを含んで構成されることを特徴とする請求項３に記載の回転可能なバッフルを有するドラム洗濯機。
【請求項５】
前記バッフルは、
前記ドラム後壁の直径より小さい直径を有する円板形状の後面部と、
前記後面部から前記ドラムの内面と平行に前方側に長く延長形成された多数のリフターと、
前記リフターを連結するように前記ドラム内面の円周方向に沿って形成された補強リブとを備えたことを特徴とする請求項１又は２に記載の回転可能なバッフルを有するドラム洗濯機。
【請求項６】
前記補強リブは前記リフターの長手方向に沿って少なくとも一つ以上設けられることを特徴とする請求項５に記載の回転可能なバッフルを有するドラム洗濯機。
【請求項７】
前記補強リブは前記リフターの外面と同一の円周面をなすように設けられることを特徴とする請求項５に記載の回転可能なバッフルを有するドラム洗濯機。
【請求項８】
前記バッフルは樹脂材質からなることを特徴とする請求項１又は２に記載の回転可能なバッフルを有するドラム洗濯機。
【請求項９】
前記バッフルは一体に圧出成型されたことを特徴とする請求項８に記載の回転可能なバッフルを有するドラム洗濯機。
【請求項１０】
前記バッフルは洗濯時には前記ドラムと逆方向に回転し、脱水時には前記ドラムと同一の方向に回転するようにしたことを特徴とする請求項１に記載の回転可能なバッフルを有するドラム洗濯機。
【請求項１１】
前記バッフルは脱水時には前記ドラムと同一の方向に回転し、洗濯及び乾燥機能を行う時には前記ドラムと逆方向に回転するようにしたことを特徴とする請求項２に記載の回転可能なバッフルを有するドラム洗濯機。
【請求項１２】
前記補強リブ上には前記ドラムの半径方向内側に突出するように多数の突起が形成されたことを特徴とする請求項５に記載の回転可能なバッフルを有するドラム洗濯機。
【発明の詳細な説明】
【０００１】
技術分野
本発明はドラム洗濯機に関するもので、より詳しくはドラムの内側に前記ドラムの回転方向と逆方向に回転可能なバッフルを備えたドラム洗濯機に関する。
【０００２】
背景技術
一般に、ドラム洗濯機は洗剤と洗濯水、洗濯物がドラム内に投入された状態で、モーター部の駆動力を受けて回転するドラムと洗濯物との摩擦力を用いて洗濯を行う方式であって、洗濯物の損傷が殆どなく、洗濯物が互いに絡み合うことなく、叩いたり揉み洗いしたりするような洗濯効果が得られる。
【０００３】
図１は従来技術によるドラム洗濯機を示した側断面図であり、図２は図１の正断面図である。
【０００４】
前記図面を参照しながら従来技術によるドラム洗濯機を説明すれば、次の通りである。
【０００５】
図１によれば、キャビネット１内側に円筒型のタブ（ｔｕｂ）２が設けられ、前記タブ２の内側には円筒型のドラム３が回転可能に設けられる。
【０００６】
そして、ドラム３の後方に固定設置されたスパイダー（図示せず）に駆動軸（図示せず）の前端部が軸連結され、前記駆動軸の後端部はタブ２の中央部を貫通してタブ２の後壁２ａ外側に延長されてモーター部１０の回転子（図示せず）に連結される。
【０００７】
そして、モーター部１０の固定子（図示せず）に電圧が印加されることにより、前記モーター部１０の回転子が回転し、それに連動して前記駆動軸が回転することになる。
【０００８】
一方、前記キャビネット１上部面の内側とタブ２外周面の上部側との間にはタブ２を支持するハンギングスプリング （ｈａｎｇｉｎｇ　ｓｐｒｉｎｇ）９が設けられ、前記キャビネット１下部面の内側とタブ２外周面の下部側との間には、脱水時に発生するタブ２の振動を減衰させるためのダンパー８が設けられる。
【０００９】
そして、乾燥機能を有するドラム洗濯機の場合には、追加して乾燥手段が備えられるが、かかる乾燥手段は、図２に示すように、前記タブ２の下部一側にダクト２５の一端部が連結され、前記ダクト２５の他端部は上側に延長されてタブ２の上側に連結される。
【００１０】
また、前記タブ２の上側に延長されたダクト２５上には、乾燥時、熱を発生させ得るように乾燥用ヒーター２１が設けられ、その隣接側には前記乾燥用ヒーター２１により発生した熱をドラム３の内側に供給できるように送風パン２２が形成される。
【００１１】
前記のような構成の従来のドラム洗濯機の作動を説明すれば、次の通りである。
【００１２】
ドラム３内に洗濯物と洗剤、洗濯水を入れた後、モーター部１０に電源が印加されると、回転子が回転する。
【００１３】
そして、前記回転子の回転により駆動軸が回転し、前記駆動軸が回転することによりドラム３を回転させることになる。
【００１４】
そうして、洗濯物はドラム３の内側面に形成されているリフター３ａにより、回転するドラム３の内側面に沿って転がりながら、上側に一定の高さまで上った後、落ちる循環を繰り返し、この際、洗濯物とドラム３及びリフター３ａとの間で発生する摩擦力により洗濯が行われる。
【００１５】
そして、洗濯が完了すると、前記ドラム３が高速で回転し、そのため発生する遠心力により洗濯物を脱水することになる。
【００１６】
また、乾燥機能を備えたドラム洗濯機の場合には、脱水行程が完了した後、乾燥用ヒーター２１が作動して熱を発生させると共に、送風パン２２が回転してドラム３内側に熱風を供給することにより、ドラム３内側に収容されている洗濯物を乾燥させる。
【００１７】
しかし、このような従来のドラム洗濯機には次のような問題点があった。
【００１８】
第一、従来ドラム洗濯機の洗濯方式は前記ドラム３が回転することにより、その内側面に一体に形成されているリフター３ａも同じ方向に回転しながら、その内側に収容されている洗濯物に摩擦を加える構造になっているため、洗濯物に加えられる摩擦力が不十分であり、そのため洗濯効率も悪くて洗濯時間も長くなる問題点があった。
【００１９】
第二、脱水が完了した後には、その遠心力により洗濯物の一部分がドラム３の脱水孔に挟まれた状態になるが、従来のドラム洗濯機はこのようなドラム３の脱水孔に挟まれた洗濯物を取り離せず、前記ドラム３の壁面に付いているままで乾燥を行う。
【００２０】
従って、ドラム３の壁面に洗濯物が付き、縮れたり重なった状態で乾燥を行うため、熱風が洗濯物に等しく伝達されず、そのため乾燥性能が低下する。
【００２１】
第三、洗濯物が縮れたり重なった状態で乾燥が行われるため、乾燥が完了した洗濯物にしわがそのまま残る。
【００２２】
発明の開示
本発明は上記のような従来の問題点を解決するためなされたもので、本発明の目的はドラムの内側にドラムの回転方向と反対方向に回転可能に設けられるバッフルを備え、洗濯時バッフルにより洗濯物に加えられる摩擦力を増加させて洗濯効率を高めるようにした回転可能なバッフルを有するドラム洗濯機を提供することにある。
【００２３】
また、脱水が完了した洗濯物をドラムの内側面から離した後、乾燥を行うことにより、洗濯物のしわ発生及び乾燥性能の低下を防止できるようにした回転可能なバッフルを有するドラム洗濯機の提供を目的とする。
【００２４】
本発明のさらなる機能および利点は以下において説明され、その記載から部分的に明らかであり、本発明を実施することによって確認され得る。本発明の目的およびその他の利点は、記載されている明細書、特許請求の範囲および添付の図面において特に指摘された構造から理解され、かつ、得られる。
【００２５】
上記の目的を達成するため、本発明はキャビネット内側に設けられるタブと、モーター部の回転力を受けて回転できるように、前記タブの内側に設けられるドラムとを備えたドラム洗濯機において、前記ドラムの内側に設けられ、前記ドラムの回転方向と逆方向に回転可能に設けられるバッフルを備えたことを特徴とする回転可能なバッフルを有するドラム洗濯機を提供する。
【００２６】
ここで、前記ドラム内側に設けられるバッフルは、脱水が完了した洗濯物をキャビネット内部の方側に設けられた乾燥手段により乾燥させる乾燥機能が行われる場合、前記ドラム内面に付いている洗濯物を取り離せるように前記ドラムの回転方向と逆方向に回転可能に設置できる。
【００２７】
そして、本発明によるドラム洗濯機は、好ましくはタブの内側に回転可能に設けられ、その後端部にはドラム軸が軸連結され、前記ドラム軸の後端部はタブの後壁外側に貫通延長されるドラムと；前記ドラムの内側に回転可能に設けられ、その後端部には駆動軸が軸連結され、前記駆動軸の後端部はモーター部の回転子と軸連結されるバッフルと；前記タブ後壁の中央部に形成された前方貫通孔の後方側に延長され、前記後壁と一体形成されて中孔の空間部をなし、その後端部には後方貫通孔が形成されたギアボックスハウジングと；前記前方貫通孔及び後方貫通孔に各々設けられて前記ドラム軸の外周面と駆動軸の外周面とを各々回転可能に支持する前・後方ベアリングと；前記ドラム軸及び駆動軸が内側に貫通又は挿入され得るように前端部と後端部が開口された形状であって、前記ギアボックスハウジングの内側に固定されるギアボックスと、前記駆動軸の回転に連動して回転するように、同軸形成されたサンギアと、前記サンギアの回転力を受けて回転する多数の遊星ギアと、前記ドラム軸の後端部から延長され、その内周面上には前記遊星ギアと噛み合うようにギア部が形成された軸延長部と、ベースの前方には前記遊星ギアの回転中心をなす回転軸が形成され、後方には前記駆動軸とギアボックスの後端開口部との間に位置する延長部を有するキャリアと、前記駆動軸の外周面とドラム軸の内周面上に介在して前記ドラム軸と駆動軸の連動回転を一方向のみに許容する第１回転軸断続手段と、前記ギアボックスの後端開口部の内周面と前記キャリアの延長部外周面上に介在してギアボックスとキャリアの連動回転を一方向のみに許容する第２回転軸断続手段とを有する回転力伝達装置を含んで構成できる。
【００２８】
ここで、前記バッフルは前記ドラム後壁の直径より小さい直径を有する円板形状の後面部と、前記後面部から前記ドラムの内面と平行に前方側に長く延長形成された多数のリフターと、前記リフターを連結するように前記ドラム内面の円周方向に沿って形成された補強リブとを含んで構成される。
【００２９】
そして、前記補強リブは前記リフターの長手方向に沿って少なくとも一つ以上設けられることが好ましく、前記補強リブは前記リフターの外面と同一の円周面をなすように設けられることが好ましい。
【００３０】
さらに好ましくは、前記バッフルは樹脂材質で形成することができ、前記バッフルは一体に圧出成型して構成できる。
【００３１】
一方、前記バッフルは洗濯時には前記ドラムと逆方向に回転し、脱水時には前記ドラムと同一の方向に回転させることが好ましい。また、好ましくは前記バッフルは脱水時には前記ドラムと同一の方向に回転し、洗濯及び乾燥機能を行う時には前記ドラムと逆方向に回転させることが好ましい。
【００３２】
なお、前記補強リブ上には前記ドラムの半径方向内側に突出するように多数の突起が形成されることは望ましい。
【００３３】
上述の本発明によれば、洗濯時バッフルとドラムとが反対方向に回転しながら、バッフルによって洗濯物に加えられる摩擦力を増加させて洗濯効率を高めることができ、乾燥機能を行う前に脱水が完了した洗濯物をドラムの内側から離した後、乾燥を行うことにより、洗濯物の乾燥性能を向上させ得る。
【００３４】
また、乾燥が完了された洗濯物にしわが発生することを防止できる。
【００３５】
上掲の一般的な説明と以下の詳細な説明との両方が例示的かつ説明的であり、特許請求の範囲における発明のさらなる説明を提供することを意味していることは理解されるべきである。
【００３６】
添付の図面は、本発明のさらなる理解を提供するために含まれ、本明細書に組み込まれ、その一部を構成している。また、添付の図面は、本発明の実施形態を示し、解説と共に本発明の原理を説明するために役立つ。
【００３７】
発明を実施するための最良の形態
以下、本発明による実施形態を示した図面を参照してより詳しく説明する。
【００３８】
また、後述する部分は理解のため、図面上の左側をドラム洗濯機の前方とし、図面上の右側をドラム洗濯機の後方にして説明する。
【００３９】
図３は本発明によるドラム洗濯機を示した側断面図であり、図４は本発明によるドラム洗濯機のバッフルを示した斜視図であり、図５は図３の“Ａ”部拡大図である。
【００４０】
図３に示すように、本発明によるドラム洗濯機はキャビネットの内側にタブ１００が設けられ、前記タブ１００の内側には前方が開口された円筒形状のドラム２００が回転可能に設けられる。
【００４１】
そして、前記ドラム２００の内側にはバッフル３００が前記ドラム２００と同軸方向に回転可能に設けられる。前記バッフル３００はドラム２００より小さい直径であって、所定の厚さを有する後面部３４０を有し、前記後面部３４０の前方には前記ドラム２００の内面と平行に多数のリフター３２０が長く延長される。この際、前記リフター３２０の長さはドラム２００の軸方向長さより長くないように形成される。
【００４２】
図４によれば、前記リフター３２０の長手方向に対する垂直断面はほぼ三角形で示されているが、これに限らず、多角形又は円形にも形成できる。また、前記リフター３２０の半径方向の外側をなす外面３２０ａは半径方向内側に突設された突出面３２０ｂより広い断面を有する。
【００４３】
そして、前記リフター３２０の間には、各リフター３２０間の支持力を高めるため、前記ドラム２００内面の円周方向に沿って前記リフター３２０の外面３２０ａを連結する補強リブ３３０が設けられる。そして、前記補強リブ３３０上には洗濯物との摩擦力を高めるように、ドラムの半径方向内側に多数の突起（図示せず）を突出形成することが望ましい。
【００４４】
この際、前記補強リブ３３０は前記リフター３２０の長手方向に沿って少なくとも一つ以上が設けられ、前記補強リブ３３０の外面は前記リフター３２０の外面３２０ａと同一の円周面をなすように設けられる。
【００４５】
なお、前記バッフル３００は金属材質でも製作でき、樹脂材質でも製作できる。前記バッフル３００を樹脂材質で製作する場合、前記補強リブ３３０と後面部３４０、そしてリフター３２０を全て一体に圧出成型できる。この際、前記バッフル３００は耐熱性が強く、耐磨耗性が強い材質で形成することが望ましい。
【００４６】
図５によれば、前記バッフル３００の後端部には駆動軸３１０の前端部が軸連結され、前記駆動軸３１０の後端部はタブ１００の後壁１２０中央部を貫通して前記後壁１２０の後方側に備えられるモーター部５０の回転子５０ａと連結される。
【００４７】
また、ドラム２００の後端部にはスパイダー２２０が固定され、前記スパイダー２２０の後端部中央にはドラム軸２１０が軸連結される。
【００４８】
そして、前記タブ１００の後壁１２０後方側には前記ドラム軸２１０及び駆動軸３１０が回転可能に挿入され得るように中孔の空間部を有するギアボックスハウジング１３０が一体に延長形成される。
【００４９】
また、前記ギアボックスハウジング１３０の内側にはギアボックス９０が固定されるが、前記ギアボックス９０はギアボックスハウジング１３０より小さい直径を有する円筒形状に構成され、その前方部及び後方部は開口された形状をなす。
【００５０】
また、前記ギアボックスハウジング１３０の前方部（即ち、タブ１００の後壁１２０）中央には、所定の直径を有する前方貫通孔１２１が形成され、前記ギアボックスハウジング１３０の後方部中央には、前記駆動軸３１０が貫通され得る後方貫通孔１２２が形成される。
【００５１】
そして、前記前方貫通孔１２１の前方部には前方ベアリング６１が設けられ、前記後方貫通孔１２２の後方部には後方ベアリング６２が設けられる。この際、前記前方ベアリング６１の内輪はドラム軸２１０の外周面を回転可能に支持し、後方ベアリング６２の内輪は前記駆動軸３１０の外周面を回転可能に支持する。
【００５２】
前述のように、駆動軸３１０はタブ１００の後壁１２０を貫通してその後方側に回転可能に支持され、かつモーター部５０の回転力を受けることになるが、これをより詳しく説明すれば、次の通りである。
【００５３】
前記駆動軸３１０はギアボックスハウジング１３０の後方貫通孔１２２外側に貫通され、その後端部は前記後方貫通孔１２２外側でモーター部５０の回転子５０ａ及びボルトなどのような公知の締結手段により結合される。
【００５４】
そして、前記ギアボックスハウジング１３０の後端部上には固定子５０ｂが結合されることにより、前記固定子５０ｂの半径方向外側には回転子５０ａのマグネット５１が対応して位置し、前記回転子５０ａ及び固定子５０ｂにより回転力を発生するモーター部５０をなす。
【００５５】
そうして、前記モーター部５０に電源が印加されると、回転子５０ａが時計方向または反時計方向に回転し、従って、前記回転子５０ａと軸連結された駆動軸３１０が回転することにより、バッフル３００も時計方向または反時計方向に回転可能になる。
【００５６】
前述した本発明のドラム洗濯機によれば、バッフル３００とドラム２００が洗濯時または乾燥機能を行う時に、互いに反対方向（例えば、バッフルは時計方向、ドラムは反時計方向）に回転するように設けられ、また脱水時には同じ方向（例えば、全て反時計方向）に回転するように設けられる。
【００５７】
このように、バッフル３００とドラム２００とを互いに反対方向に回転させることは本発明による回転力伝達装置により具現され、バッフル３００とドラム２００とを同一の方向に回転させることは第１、第２回転軸断続手段４０１、４０２により具現される。
【００５８】
そうすることで、洗濯時または乾燥機能を行う時に、前記バッフル３００の回転方向に対して反対方向にドラム２００を回転させ得、脱水時には前記バッフル３００とドラム２００を同一の方向に回転させ得るのである。
【００５９】
以下、本発明のドラム洗濯機の回転力伝達装置を説明すれば、次の通りである。
【００６０】
前記ドラム軸２１０はその後端部に前記ギアボックス９０内側まで延長された円筒型軸延長部２１５を有し、前記軸延長部２１５の内面にはギア部２１５ａが形成される。この際、前記軸延長部２１５の直径は前記ドラム軸２１０の直径よりは大きく、前記ギアボックス９０の直径よりは小さく形成される。
【００６１】
そして、駆動軸３１０には前記駆動軸３１０の回転と連動して回転するようにサンギア３１５が同軸形成される。また、前記サンギア３１５の回転力を受けて回転される多数の遊星ギア７１、７２が各々備えられるが、前記各遊星ギア７１、７２は半径及び歯車の数が各々異なる二つの歯車が一体に同軸結合されたものである。
【００６２】
前記各遊星ギア７１、７２はキャリア８０のベース８２上に形成された回転軸８１により軸支持されると共に、前記軸延長部２１５のギア部２１５ａと噛み合って前記サンギア３１５の回転力をドラム軸２１０に伝達する。
【００６３】
なお、前記ベース８２はその後方側に前記駆動軸３１０とギアボックス９０の後方開口部との間に位置するように延長形成された延長部８３を有し、前記延長部８３と駆動軸３１０の外周面とは所定間隔だけ離隔されて設置される。また、前記延長部８３の内周面と駆動軸３１０の外周面との間にはオイルレスベアリング８９とシーリング手段８８とが各々順次に介在することにより、前記延長部８３と駆動軸３１０との間の気密を維持することになる。
【００６４】
また、前記ドラム軸２１０の内周面と駆動軸３１０の外周面との間には前記ギアボックス９０側への漏水を防止するためのシーリング手段４１が設けられる。
【００６５】
そして、前記ドラム軸２１０の外周面と前記ドラム２００の後方に設けられたスパイダー２２０との間にも同様に前記前方ベアリング６１側への漏水を防止するためのシーリング手段４２が設けられる。
【００６６】
一方、前記キャリア８０の回転軸８１上に半径及び歯車の数が各々異なる二つの遊星ギア７１、７２を設けた理由は、前記遊星ギア７１、７２の半径及び歯車を適切に変更することにより、バッフル３００及びドラム２００の回転速度を適切に変更させ得るようにするためである。即ち、バッフル３００及びドラム２００の回転速度の比を適切に調節することにより洗濯効率を高めるようにしたものである。
【００６７】
前述によれば、駆動軸３１０が回転する場合、その回転力が回転力伝達装置によりドラム軸２１０に伝達されることにより、駆動軸３１０とドラム軸２１０とが互いに反対方向に回転し、よってバッフル３００とドラム２００とは互いに反対方向に回転可能になることが分かる。
【００６８】
以下、本発明によるドラム洗濯機の第１、第２回転軸断続手段を説明すれば、次の通りである。
【００６９】
前記駆動軸３１０の外周面とドラム軸２１０の内周面上には前記駆動軸３１０とドラム軸２１０の連動回転を一方向のみに許容する第１回転軸断続手段４０１が設けられる。
【００７０】
そして、前記ギアボックス９０の後端開口部の内周面と前記キャリア８０の延長部８３外周面上にはキャリア８０の回転を一方向のみに許容する第２回転軸断続手段４０２が設けられる。
【００７１】
即ち、前記第１、第２回転軸断続手段４０１、４０２は、例えば偏方向ベアリング（ｏｎｅ　ｗａｙ　ｂｅａｒｉｎｇ）を採用でき、例えば、駆動軸３１０を反時計方向に回転させてバッフル３００を反時計方向に回転させれば、ドラム２００を時計方向に回転させることになる。
【００７２】
これをより詳しく説明すれば、次の通りである。
【００７３】
前記第１回転軸断続手段４０１の内輪は駆動軸３１０の外周面を支持するものであって、駆動軸３１０が時計方向に回転する場合にはその回転を許容し、逆に駆動軸３１０が反時計方向に回転する場合にはその回転を拘束するように設けられたものである。
【００７４】
従って、回転子５０ａを反時計方向に回転させれば、前記第１回転軸断続手段４０１の拘束によりドラム軸２１０が駆動軸３１０と共に反時計方向に連動回転する構造をなす。
【００７５】
前述のように、ドラム軸２１０と駆動軸３１０が全て反時計方向に回転するとき、前記駆動軸３１０上のサンギア３１５と軸延長部２１５のギア部２１５ａとが噛み合わさった状態である遊星ギア７１、７２は全て回転が停止した状態になる。よって、この場合、キャリア８０も駆動軸３１０及びドラム軸２１０のように反時計方向に連動回転する状態になる。
【００７６】
一方、第２回転軸断続手段４０２は前記第１回転軸断続手段４０１が許容する駆動軸３１０及びドラム軸２１０の連動回転方向とは反対方向へのキャリア８０の連動回転を許容するものである。
【００７７】
即ち、前記駆動軸３１０及びドラム軸２１０、そしてキャリア８０が全て反時計方向に連動回転する状態では、前記第２回転軸断続手段４０２は前記キャリア８０の回転方向（反時計方向）にはその回転を拘束しないように設けられるものである。
【００７８】
また、第２回転軸断続手段４０２はキャリア８０が時計方向に回転する場合には、その回転を拘束するように設けられるが、前記第２回転軸断続手段４０２によりキャリア８０の時計方向への回転を拘束するように構成した理由は次の通りである。
【００７９】
即ち、回転子５０ａが時計方向に回転する場合、駆動軸３１０とドラム軸２１０は各々回転方向が反対になり、この時キャリア８０は前記駆動軸３１０と同一の方向に回転することになる。この時前記キャリア８０の回転を拘束すると、前記ドラム軸２１０の回転力をより確実に維持させ得るためである。
【００８０】
前述した構成により、回転子５０ａが反時計方向に回転する場合には、駆動軸３１０及びドラム軸２１０が全て同一の方向に回転することになり、したがってバッフル３００及びドラム２００が同一の方向に回転することなることが分かる。
【００８１】
以上のように説明した本発明の実施形態によるドラム洗濯機は、乾燥機能を備えたドラム洗濯機と乾燥機能を備えていないドラム洗濯機に全て採用できる。
【００８２】
これをより詳しく説明すれば、次の通りである。
【００８３】
即ち、乾燥機能の有無により、洗濯時と脱水時、そして乾燥機能を行う時の回転子５０ａの回転方向が異なるように制御部によりあらかじめ設定することにより可能である。
【００８４】
まず、乾燥機能を備えていないドラム洗濯機に採用する場合には、制御部によって洗濯時には回転子５０ａの回転方向を時計方向に回転するように設定しておく。この場合、洗濯時にはバッフル３００とドラム２００とが互いに反対方向（例えば、バッフルは時計方向、ドラムは反時計方向）に回転することになる。
【００８５】
また、脱水時には回転子５０ａの回転方向を反時計方向に設定すると共に、通常脱水時の回転速度で回転するように設定する。この場合、脱水時にはバッフル３００とドラム２００とが互いに同じ方向（例えば、バッフルとドラムが全て反時計方向）に回転することになる。
【００８６】
このように、回転子５０ａの回転方向を設定しておくと、洗濯時にはドラム２００とバッフル３００とが各々反対方向に回転しながら洗濯が行われ、脱水時にはドラム２００とバッフル３００が同一の方向に回転しながら脱水が行われる。
【００８７】
一方、乾燥機能を備えたドラム洗濯機に採用する場合には、制御部により脱水時には回転子５０ａの回転方向を反時計方向に回転するように設定することにより、脱水時にドラム２００とバッフル３００が同一の方向に回転しながら脱水を行うようになる。ただし、脱水時には前記回転子５０ａの回転速度を通常脱水時の回転速度で回転するように設定する。
【００８８】
そして、洗濯時と乾燥機能を行う時には、制御部によって回転子５０ａの回転方向を時計方向に回転するように設定することにより、ドラム２００とバッフル３００とが互いに反対方向に回転しながら洗濯及び乾燥機能を行うようにする。
【００８９】
従って、脱水時にはドラム２００とバッフル３００が同じ方向に回転しながら脱水が行われ、洗濯及び乾燥機能を行うときにはドラム２００とバッフル３００とが各々反対方向に回転しながら洗濯物の洗濯及び乾燥が行われるものである。
【００９０】
一方、本発明は先に説明した実施形態に限定されず、本発明の要旨から外れない範囲内で種々の変形及び実施が可能である。
【００９１】
産業上の利用可能性
以上に詳しく説明した通り、本発明によれば、ドラムの内側にドラムの回転方向と逆方向に回転可能に設けられるバッフルを備え、乾燥機能を備えていないドラム洗濯機の場合には、洗濯時バッフルとドラムとが反対方向に回転しながら、バッフルにより洗濯物に加えられる摩擦力を増加させて洗濯効率が高くなる。
【００９２】
そして、乾燥機能を備えたドラム洗濯機の場合には、乾燥機能を行う前に脱水が完了した洗濯物をドラムの内側面から取り離した後、乾燥を行うことにより、洗濯物の乾燥性能が向上される。
【００９３】
また、乾燥が完了された洗濯物にしわが発生することを防止できる効果がある。
【図面の簡単な説明】
【図１】
図１は従来技術によるドラム洗濯機を示した側断面図である。
【図２】
図２は図１の正断面図である。
【図３】
図３は本発明によるドラム洗濯機を示した側断面図である。
【図４】
図４は本発明によるドラム洗濯機のバッフルを示した斜視図である。
【図５】
図５は図３における“Ａ”部の拡大図である。
【国際公開パンフレット】
2004513722.tif 000003
2004513722.tif 000004
2004513722.tif 000005
2004513722.tif 000006
2004513722.tif 000007
2004513722.tif 000008
2004513722.tif 000009
2004513722.tif 000010
2004513722.tif 000011
2004513722.tif 000012
2004513722.tif 000013
2004513722.tif 000014
2004513722.tif 000015
2004513722.tif 000016
2004513722.tif 000017
2004513722.tif 000018
2004513722.tif 000019
2004513722.tif 000020
2004513722.tif 000021
2004513722.tif 000022
2004513722.tif 000023
2004513722.tif 000024
【国際調査報告】
2004513722.tif 000025